(57)【要約】【課題】  本発明は、従来の鉄コーティング種子の利点およびべんモリコーティング種子の利点のいずれをも損ねることなく、両者の欠点を克服した種子を提供することを目的とする。【解決手段】  本発明者は、種子を鉄粉含有物で被覆し、次いでモリブデン含有物で被覆することにより、鉄コーティング種子の利点およびべんモリコーティング種子の利点のいずれをも損ねることなく、両者の欠点を克服できることに想到し、本発明を完成した。すなわち、本発明は、種子を被覆する鉄粉含有物のコーティングと、鉄粉含有物のコーティングの外側を被覆するモリブデン含有物のコーティングを有する直播用コーティング種子を提供する。【選択図】      図1
2020010623.tif 000002
【特許請求の範囲】
【請求項１】
種子を被覆する、鉄粉含有物を含む鉄コーティング層と、
前記鉄コーティング層の外側を被覆する、オキソアニオンを供給するモリブデン含有物および／またはタングステン含有物を含む外側コーティング層と、
を有する、直播用コーティング種子。
【請求項２】
前記外側コーティング層は、前記酸化鉄含有物、三酸化モリブデンおよびポリビニルアルコールの混合物である、請求項1に記載の直播用コーティング種子。
【請求項３】
前記種子がイネ科植物の種子である、請求項1または2に記載の直播用コーティング種子。
【請求項４】
直播栽培方法であって、
種子を、鉄粉含有物で被覆する鉄被覆工程と、
前記鉄被覆した種子を、オキソアニオンを供給するモリブデン含有物および／またはタングステン含有物で被覆する外側被覆工程と、
前記外側被覆した種子を乾燥させる工程と、
前記乾燥した種子を土壌中に播種する工程と、
を含む方法。
【請求項５】
前記オキソアニオンを供給するモリブデン含有物および／またはタングステン含有物は、前記酸化鉄含有物、三酸化モリブデンおよびポリビニルアルコールの混合物である、請求項4に記載の直播栽培方法。
【請求項６】
前記種子がイネ科植物の種子である、請求項1または2に記載の直播栽培方法。
【発明の詳細な説明】
【技術分野】
【０００１】
本発明は、直播栽培に適したコーティング種子および直播栽培方法に関する。
【背景技術】
【０００２】
従来、稲作では、種子から苗を作り、これを水田に田植えして栽培が行われてきた。苗作りでは、種子の播種、発芽および育苗の課程において、多大な手間および時間を必要とされる。
【０００３】
稲作の省力化および低コスト化が望まれており、種々の栽培方法が検討、開発されてきている。その中で、苗作りが不要となる直播栽培が期待されている。直播栽培は、苗作りを行わず水田に直接種子を播種して稲作を行う。かつての直播栽培では、代かきをした水田の土壌表面に催芽種子を播種していた。土壌表面に播種すると、種子には酸素が供給されやすく、発芽生育がよい。しかし、表面播種した種子は、水田で浮きやすい。このため表面播種では、水田に水を落とすとスズメなどの鳥害が生じてしまい、問題となっていた。
【０００４】
直播栽培における上記のような問題を解決するために、種子を鉄コーディングする技術が開発されてきた。鉄コーティング種子は、鉄粉と焼石膏などの塩類との混合物を水分と共に種子にコーティングすることにより作製される。種子表面にコーティングされた鉄粉は、酸化により錆びることによって表面に固定される。焼石膏は、水と反応して固化することにより、コーティングが容易になる。また、酸化反応にも塩類および水が寄与する。
【０００５】
このように作製された鉄コーティングされた種子は、鉄によってその重量が大きくなるため土壌表面に播種しても種子が浮きにくくなる。また、鉄によるコーティングにより表面が固くなることから、鳥害を防ぐこともできる。さらに、鉄コーティングにより種子由来の伝染病を防ぐことができるという報告もある。
【０００６】
しかし、鉄コーティング種子は、土壌表面に播種するために倒伏に弱いという弱点を有する。倒伏を避けるために土壌中に種子を播種すると、水田では土壌中の酸素が少なく、かつ硫酸イオンから有害な硫化物が生成するため、発芽不良や苗立ちの不良を生じてしまう問題があった。
【０００７】
一方、水稲種子にモリブデン化合物をコーティングすると、湛水直播栽培において有害な硫化物の生成を抑制できることがわかってきた（非特許文献1および特許文献1）。硫化物の生成を抑制するためにモリブデン酸イオンを放出するモリブデン化合物を種子にコーティングすることにより、土壌中に湛水播種する際にも苗立ちが向上する効果があった。しかし、モリブデン化合物による種子のコーティングは、従来の方法よりも苗立ち効果が優れる方法ではなく、硫化物以外の苗立ちを阻害する原因に対しては効果を有さない。
【先行技術文献】
【特許文献】
【０００８】
【特許文献１】WO2011/093341
【非特許文献】
【０００９】
【非特許文献１】原嘉隆（農研機構  九州沖縄農業研究センター）、鉄および酸素発生剤を用いた水稲湛水土中播種におけるモリブデンの併用効果−石膏による苗立ち阻害とモリブデンによる回避−、Abstract and Data of Papers to be Presented at the Meeting of the Society. Japanese Journal of Crop Science Volume：232nd、Page：118-119、2011年
【発明の概要】
【発明が解決しようとする課題】
【００１０】
本発明は、従来の鉄コーティング種子の利点およびべんモリコーティング種子の利点のいずれをも損ねることなく、両者の欠点を克服した種子を提供することを目的とする。鉄コーティング種子は表面播種しなければならず、成長過程において倒伏しやすいという欠点があり、べんモリコーティング種子は鳥害に弱く、また種子由来の病気に弱いという欠点を有するが、これらの欠点を克服した種子を提供することを目的とする。
【課題を解決するための手段】
【００１１】
本発明者は、種子を鉄粉含有物で被覆し、次いでモリブデン含有物で被覆することにより、鉄コーティング種子の利点およびべんモリコーティング種子の利点のいずれをも損ねることなく、両者の欠点を克服できることを見出し、本発明を完成した。
【００１２】
すなわち、本発明は、種子を被覆する、鉄粉含有物を含む鉄コーティング層と、上記鉄コーティング層の外側を被覆する、オキソアニオンを供給するモリブデン含有物および／またはタングステン含有物を含む外側コーティング層とを有する、直播用コーティング種子を提供する。
【００１３】
また、本発明は、外側コーティング層が前記酸化鉄含有物、三酸化モリブデンおよびポリビニルアルコールの混合物である、上記直播用コーティング種子を提供する。
【００１４】
また、本発明は、種子がイネ科植物の種子である、上記直播用コーティング種子を提供する。
【００１５】
さらに、本発明は、直播栽培方法であって、種子を、鉄粉含有物で被覆する鉄被覆工程と、上記鉄被覆した種子を、オキソアニオンを供給するモリブデン含有物および／またはタングステン含有物で被覆する外側被覆工程と、上記外側被覆した種子を乾燥させる工程と、蒸気乾燥した種子を土壌中に播種する工程とを含む方法を提供する。
【００１６】
また、本発明は、上記オキソアニオンを供給するモリブデン含有物および／またはタングステン含有物は、酸化鉄含有物、三酸化モリブデンおよびポリビニルアルコールの混合物である、上記直播栽培方法を提供する。
【００１７】
また、本発明は、種子がイネ科植物の種子である、上記直播栽培方法を提供する。
【発明の効果】
【００１８】
本発明の直播用コーティング種子によれば、鉄コーティングおよびべんモリコーティングの両者の欠点を克服し、土中播種が可能で、倒伏に強く、発芽率が高く、鳥害に強く、かつ種子由来の病気に強い直播用種子を提供することができる。また、本発明の直播方法によれば、上記種子の効果により、安価かつ簡易な直播栽培方法を提供することができる。
【図面の簡単な説明】
【００１９】
【図１】本発明の直播用コーティング種子の被覆状態を模式的に示す断面図。
【図２】本発明の直播用コーティング種子の製造における乾燥工程の一例を示す写真。
【図３】本発明の直播用コーティング種子の一例を示す写真。
【図４】本発明の直播栽培方法において、直播用コーティング種子を水田に播種する際の一態様を示す図。
【図５】本発明の直播用コーティング種子を土壌播種する際の一態様を示す図。
【図６】本発明の直播用コーティング種子の発芽状態を示す写真。
【発明を実施するための形態】
【００２０】
本発明の直播用コーティング種子1は、種子2が鉄粉含有物を含む鉄コーティング層3によって被覆される。また、本発明の直播用コーティング種子1は、鉄コーティング層3の外側が、オキソアニオンを供給するモリブデン含有物および／またはタングステン含有物を含む外側コーティング層4によって被覆される。図1には、本発明の直播用コーティング種子の被覆状態を模式的に示す断面図を示す。
【００２１】
本発明においてコーティングとは、種子等の表面に形成された任意の材料による被覆をいう。たとえば、鉄コーティングおよびモリブデンコーティングとは、それぞれ鉄およびモリブデンを含む材料によって形成された被覆をいう。また、コーティング層は、被覆することによって形成された層をいう。被覆するとは、種子等の表面に任意の材料をおおいかぶせることをいう。
【００２２】
本発明の直播用コーティング種子に使用される種子は、任意の植物の種子であることができる。種子は、特に、水田などの湛水状態で生育される作物の種子であることができる。たとえば、種子は、イネ、オオムギおよびコムギなどのイネ科の植物、ダイズおよび小豆などのマメ科の植物、ソバなどのタデ科植物、アブラナおよびキャベツなどのアブラナ科の植物であることができる。
【００２３】
本発明の直播用コーティング種子に使用される種子は、任意の発芽状態の種子であることができる。直播栽培においては、種子の播種から発芽までの時間を短縮することを目的として、催芽処理を施した種子が使用されることも多い。本発明の直播用コーティング種子に使用される種子も、浸種催芽処理などの催芽処理をした種子を使用することもがきる。たとえば、イネの場合、種子（乾籾）を日平均気温の積算温度が45℃前後となるように浸種（たとえば15〜16℃の井戸水に3日間浸種）した種子を使用することができる。また、本発明の直播用コーティング種子に使用される種子は、上記のように浸種した種子を湿ったままで、または一度乾かした後に使用することもできる。
【００２４】
本発明の直播用コーティング種子は、上記の種子に鉄粉含有物が被覆される。本発明の直播用コーティング種子に使用される鉄粉含有物は、直播栽培において公知の鉄コーティング技術に使用される鉄粉含有物であることができる。鉄粉の種類は、還元鉄粉であり、高品位の酸化鉄を加熱還元して得られる。鉄粉は、当該技術分野において使用される任意のサイズの鉄粉を使用することができ、たとえば粒度100μm以下の小さい粒度の鉄粉を使用することができる。本発明に使用される鉄粉は、市販の農業用鉄粉を使用することができ、たとえばJFE製鉄のコーティング用鉄粉であるS91鉄粉、同和鉄粉工業のDSP317鉄粉、テツゲンの農業用鉄粉およびダイテツ工業の農業用鉄粉などを使用することができる。
【００２５】
本発明の直播用コーティング種子に使用される鉄粉含有物は、鉄粉単独の材料であってもよく、鉄粉以外の材料との混合物であってもよい。従来の鉄コーティング技術では、鉄粉の酸化促進剤として焼石膏を鉄粉と混合した鉄粉含有物が使用される。この鉄コーティング技術では、鉄粉が種子の表面で錆びて、この錆が糊の役目を担う。従来の鉄コーティング技術では、錆びを生じさせるための酸化促進剤として焼石膏が使用される。本発明に使用される鉄粉含有物による鉄コーティングも、鉄粉と焼石膏を混合物として使用することができ、これにより種子にコーティングを被覆する時に水を添加することによって酸化を開始させることができる。鉄粉と混合される材料は、任意の材料であることができ、任意の量であることができる。たとえば、鉄粉に焼石膏が混合された鉄粉含有物の場合、従来の鉄コーティング技術を参考にして任意の割合で使用することができる。たとえば、鉄粉の重量に対して、0.1％〜40％、たとえば1％〜30％、5％〜25％および10％〜20％の焼石膏を混合することができる。通常、焼石膏は、鉄粉に対して10％程度の重量で混合し、鉄粉が粗くて種子に付着しにくいときは40％程度まで増大してもよく、逆に鉄粉が細かいときは1％程度まで減少して混合してもよい。
【００２６】
鉄粉は、従来の鉄コーティング技術と同様に種子に被覆することができる。鉄粉は、たとえば「鉄コーティング湛水直播マニュアル2010（独立行政法人 農業・食品産業技術総合研究機構 近畿中国四国農業研究センター 編）」に記載されているように被覆することができる。たとえば、鉄粉と焼石膏との混合物を種子に被覆する場合、1重量の種子に対して0.5重量の鉄粉と0.1重量の焼石膏との混合物を被覆する。種子と鉄粉のコーティング比は、種子：鉄粉＝1:0.1〜1:1、たとえば1:0.3〜1:0.7、たとえば1:0.5および1:0.6などであることができる。
【００２７】
種子に鉄粉を被覆するためには、たとえばミキサーを使用することができる。まず、種子をミキサーに投入し、ミキサーを回転させる。次いで、鉄粉（または混合物）をミキサーに投入する。鉄粉は、数回（たとえば、3回）に分けてミキサーに投入し、十分に混合されるようにする。また、ミキサーを回転させながら、噴霧器などを使用して鉄粉が適度に湿る程度の水を散水する。粉状の資材が種子に付着してなくなるまで水を噴霧しながら回転させる。資材が十分に付着されると、種子の表面に鉄コーティングが形成される。鉄コーティング後は、従来の鉄コーティングのように仕上げ焼石膏のコーティングをする必要はなく、次の工程の外側コーティングをその代わりとすることができる。
【００２８】
鉄コーティングされた種子は、引き続き以下の外側コーティングを実施してもよいし、一旦乾燥させててもよい。上記のように水を散水しながら被覆した種子は、表面の鉄粉（還元鉄）が酸化されることにより、発熱する。したがって、コーティング後に種子を放置すると発熱によって死滅してしまう。これを防ぐために、放熱させながら乾燥させる。たとえば、苗箱等に鉄コーティングされた種子を入れて薄く広げることによって、放熱させてもよい。苗箱を使用する場合、図2に示すように、1つの苗箱に1kg程度の鉄コーティングされた種子を広げて放熱させればよい。また、種子の表面の鉄粉の酸化が十分ではなく、鉄コーティング層が壊れる可能性があるときは、苗箱等に広げた種子に再度散水し、酸化を進めさせてもよい。熱により種子が死滅しないように乾燥させると、鉄コーティングされた種子は、茶色に錆びた状態となる。また、鉄コーティングされた種子は、この状態で乾燥させたり、低温庫において保存することにより、発芽率を維持したまま長期間保存することもできる。
【００２９】
上記のように鉄コーティングされた種子は、引き続き以下の外側コーティングを実施する。
【００３０】
鉄コーティングされた種子は、外側コーティングによってさらに被覆される。本発明に使用される外側コーティングは、オキソアニオンを供給するモリブデン含有物および／またはタングステン含有物を含む。代かきした水田の土壌中は、酸素が不足しており、この状態が続くと硫酸イオンから植物にとって有害な硫化物が生成し、苗立ちを阻害することがわかっている。この硫化物の生成は、モリブデン酸イオンおよびタングステン酸イオンによって抑制することができる。したがって、外側コーティングにこれらのオキソアニオンを供給するモリブデン含有物および／またはタングステン含有物を含めると、硫化物の生成を抑制することによって苗立ちを安定化させることができる。また、外側にオキソアニオンを供給するコーティングを有することにより、直接土壌および水分中にオキソアニオンを供給することができるため、土壌中における硫化物の生成を効率的に抑制することができる。
【００３１】
本発明の直播用コーティング種子に使用されるモリブデン含有物および／またはタングステン含有物は、直播栽培において公知のモリブデン含有物および／またはタングステン含有物によるコーティング技術に使用される材料であることができる。
【００３２】
モリブデン含有物は、モリブデン酸イオンを供給することができる物質であることができる。モリブデン含有物は、たとえば金属モリブデン（単体）、酸化モリブデン（無水モリブデン酸）、モリブデン酸とその塩、モリブドリン酸（リンモリブデン酸）とその塩、モリブドケイ酸（ケイモリブデン酸）とその塩が望ましい。安価で市販されているものでは、金属モリブデン、酸化モリブデン、モリブデン酸、モリブデン酸カルシウム、モリブデン酸マグネシウム、モリブドリン酸アンモニウム（リンモリブデン酸アンモニウム）、モリブドリン酸カリウム（リンモリブデン酸カリウム）、モリブデン酸アンモニウム、モリブデン酸ナトリウム、モリブデン酸カリウム、モリブドリン酸、モリブドリン酸ナトリウム（リンモリブデン酸ナトリウム）およびモリブドケイ酸から選択される一つまたは複数であることができる。モリブデン含有物は、たとえば三酸化モリブデンであることができる。三酸化モリブデンは、モリブデン化合物の中でも安価であり、硫化物イオンの生成も十分に抑制することができる。モリブデンは、植物の微量元素でもある。したがって、肥料としても使用されており、土壌に含有されることが好ましい。
【００３３】
タングステン含有物は、たとえば金属タングステン、酸化タングステン（無水タングステン酸）、タングステン酸とその塩、タングストリン酸（リンタングステン酸）とその塩、タングストケイ酸（ケイタングステン酸）とその塩が望ましい。安価で市販されているものでは、微溶性の金属タングステン、酸化タングステン、タングステン酸、パラタングステン酸アンモニウムおよびタングストリン酸アンモニウム（リンタングステン酸アンモニウム）から選択される一つまたは複数であることができる。
【００３４】
オキソアニオンを供給するモリブデン含有物および／またはタングステン含有物の量は、植物への悪影響がなく、かつ植物に害を及ぼす硫化物イオンの生成を抑制できる量であることが好ましい。たとえば、オキソアニオンを供給するモリブデン含有物および／またはタングステン含有物が金属モリブデン、酸化モリブデン、モリブデン酸、モリブデン酸カルシウム、モリブデン酸マグネシウム、モリブドリン酸アンモニウム、モリブドリン酸カリウム、金属タングステン、酸化タングステン、タングステン酸、パラタングステン酸アンモニウム、又はタングストリン酸アンモニウム（リンタングステン酸アンモニウム）の場合、種子の乾物重量１gに対し、モリブデン又はタングステン換算で、0.01mmol〜10mmol、たとえば0.02mmol〜1mmol、0.05mmol〜0.1mmolの量であることができる。
【００３５】
本発明の外側コーティングに使用される、オキソアニオンを供給するモリブデン含有物および／またはタングステン含有物は、モリブデン含有物またはタングステン含有物の材料であってもよく、またその他の材料との混合物であってもよい。
【００３６】
外側コーティングは、たとえば種子表面にコーティング資材を接着するための任意の材料を含有することができる。また、コーティング種子を水に入れてもコーティングした層が崩壊しにくいようにする任意の材料を含有することができる。その他、コーティング種子の表面を水に馴染みやすくさせ、これによりコーティング種子を土壌に密着しやすくさせる材料を含有することができる。
【００３７】
たとえば、外側コーティングは、ポリビニルアルコールを含有することができる。外側コーティングに使用されるポリビニルアルコールは、粒子状固体であってケン化度が78モル％以上のポリビニルアルコールなどである。このようなポリビニルアルコールを固体のまま含有することにより、種子表面へ資材を接着しやすくなり、かつ水による種子の崩壊を抑制することができる。ポリビニルアルコールのケン化度は、90モル％〜98モル％、たとえば93モル％〜98モル％または95モル％〜98モル％であることができる。ポリビニルアルコールのケン化度（モル％）とは、ポリ酢酸ビニルをケン化してポリビニルアルコールを製造したときに、各酢酸ビニル繰返し単位がケン化されて水酸基になっている割合をいう。また、ポリビニルアルコールの重合度は特に限定されないが、たとえば重合度が1000〜5000、1500〜3500、1500〜2500または1700〜2400であることができる。ポリビニルアルコールの重合度とは、ポリ酢酸ビニルをケン化してポリビニルアルコールを製造したときの、重合鎖を構成する酢酸ビニル繰返し単位の個数をいう。
【００３８】
たとえば、外側コーティングは、べんがらを含有することができる。べんがらは、酸化鉄（Fe2O3）であり、コーティング表面を水に馴染ませて沈みやすくすることができ、これにより種子を土壌に密着させることができる。また、べんがらは、重量を高めることもできるが、本発明の直播用コーティング種子は、鉄コーティングを有するため、十分な重量を有するのでべんがらによる重量増加は重要ではない。
【００３９】
本発明に使用される外側コーティングは、たとえば市販のべんモリ資材（森下弁柄工業株式会社）を使用することができる。本発明の外側コーティングに使用されるべんモリ資材は、たとえばべんモリ資材（0.1倍重量）を使用することができる。べんモリ資材は、べんがら（酸化鉄）を種子重量の0.1倍重、三酸化モリブデンを種子重量の約0.5％重およびポリビニルアルコールをべんがら重量の1％重（べんモリ資材0.1倍重用）を含む。
【００４０】
外側コーティングは、上記の鉄コーティング技術と同様に種子にコーティングすることができる。上記べんモリ資材0.1倍重を種子にコーティングする場合、たとえば1重量の種子に対して0.1重量のべんモリ資材をコーディングすることができる。種子と外側コーティングの比は、種子：外側コーティング＝1:0.001〜1:1、たとえば1:0.01〜1:0.7、たとえば1:0.1〜1:0.5などであることができる。
【００４１】
外側コーティングは、従来の鉄コーティング技術と同様に種子に被覆することができる。たとえば、まず外側コーティングを鉄コーティングされた種子をミキサーに投入し、ミキサーを回転させる。次いで、外側コーティングの材料（三酸化モリブデンを含む混合物など）をミキサーに投入する。外側コーティングの材料は、数回（たとえば、3回）に分けてミキサーに投入し、十分に混合されるようにする。また、ミキサーを回転させながら、噴霧器などを使用して鉄粉が適度に湿る程度の水を散水する。粉状の資材が種子に付着してなくなるまで水を噴霧しながら回転させる。外側コーティングされた種子は、引き続き乾燥工程を実施する。外側コーティング後は、従来の鉄コーティングのように仕上げ焼石膏のコーティングをする必要はなく、外側コーティングをその代わりとすることができる。
【００４２】
外側コーティングされた種子は、一旦乾燥させる。乾燥は、たとえば1昼夜乾燥させればよい。また、乾燥は、数ヶ月の期間であってもよい。また、上記のように水を散水しながらコーティングした種子は、内側の鉄コーティングの表面の鉄粉（還元鉄）が酸化されることにより、発熱する。したがって、コーティング後に種子を放置すると発熱によって死滅してしまう。これを防ぐために、外側コーティングした種子を苗箱等に入れて薄く広げることによって、放熱させてもよい。たとえば、図2に示すように、1つの苗箱に1kg程度の種子を広げて放熱させればよい。一方、乾燥は、完全に乾燥させる必要はない。コーティングが湿気を含んでいてもよく、コーティングが壊れない程度に乾燥させるだけでもよい。
【００４３】
上記の手順により、本発明の直播用コーティング種子を作製することができる。図3は、上記の手順によって作製された本発明の直播用コーティング種子の一例を示す写真である。
【００４４】
作製した直播用コーティング種子は、作製後に直播することができる。また、作製した直播用コーティング種子は、この状態で乾燥させたり、低温庫において保存することにより、発芽率を維持したまま長期間保存することもできる。
【００４５】
本発明は、さらに直播栽培方法も提供する。本発明の直播栽培方法は、上記のように種子を、鉄粉含有物で被覆する鉄被覆工程と、鉄被覆した種子を、オキソアニオンを供給するモリブデン含有物および／またはタングステン含有物で被覆する外側被覆工程と、外側被覆した種子を乾燥させる乾燥工程と、乾燥した種子を土壌中に播種する工程とを含む。
【００４６】
鉄被覆工程、外側被覆工程および乾燥工程は、上記の直播用コーティング種子の作製について記載したとおりに実施することができる。
【００４７】
次いで、乾燥させた種子を水田等の土壌に播種する。播種は、当該技術分野において公知の任意の手段によって行うことができ、たとえば従来のべんモリ直播と同様の手順で播種することができる。たとえば、本発明の直播用コーティング種子は、「水稲べんモリ直播マニュアル」2016（独立行政法人 農業・食品産業技術総合研究機構 九州沖縄農業研究センター編）」に記載されているようには種することができる。
【００４８】
具体的には、以下の手順などで播種することができる。まず、水を入れない状態で田んぼを耕耘し、およそ4週間後に湛水して荒代かきし、翌日に植え代をかく。2日後に本発明の直播用コーティング種子を播種する。播種前日に落水させ、播種機で種子を播種する。田んぼに種子を播種する際には、図4に示すように土壌に溝をつけて種子を播種する。播種間隔は、任意の密度となるように播種することができる。たとえば、横の間隔を一般的な播種機の仕様である30ｃｍ間隔で5〜15粒づつの種子を播種する。播種する種子の漁は、発芽率や稲立ち率を勘案して増減すればよい。たとえば、イネの場合、70％の稲立ち率の場合、7〜8粒程度、また50％の稲立ち率の場合、10粒程度が適切な漁と考えられる。
【００４９】
播種後は、積極的に覆土を行わず自然に任せる。種子の乾燥が十分ではなく湿気を含んだままであるときは、種子は1時間以内に直播することが好ましい。この時間であれば、播種時に種の温度が上がって種子の品質が落ちることはなかい。田んぼに播種されれば、種子の温度が上がって種子の品質が低下して発芽率が下がることはない。次いで、播種後、2日間湛水し、自然落水させて10日間落水管理する。
【００５０】
本発明の直播用コーティング種子によれば、鉄コーディング以上の重量を有することにより、種子が水中で浮くことはない。また、鉄コーティングの優れた点は損なわれないため、堅い鉄の皮膜によって鳥害を防ぐことができる。また、鉄コーティングの効果により、種子由来の病気に強くなる効果も有する。また、従来のべんモリコーティングの優れた点も有するため、硫化物の影響を受けずに苗立ちが安定する。さらに、土中播種しても発芽率は低下することがないため、表面播種ではなく土中播種することによって倒伏に強い育成が可能になる。
【実施例】
【００５１】
（1.直播用コーティング種子の作製）
以下の手順で稲作用の種籾を被覆した。
【００５２】
材料
鉄粉は、コーティング用鉄粉S91鉄粉（JFE製鉄）を使用した。  
焼石膏は、市販の製品を使用した。  
モリブデン含有物は、べんモリ資材（べんモリ資材0.1倍重用、森下弁柄工業株式会社）を使用した。本資材は、べんがら（酸化第二鉄）、硫化物の生成を抑制するためのモリブデン化合物およびこれらを種子に付着させるための接着剤としてのポリビニルアルコールを混合した資材である。べんモリ資材0.1倍重用は、べんがら（酸化鉄）を種子重量の0.1倍重、三酸化モリブデンを種子重量の約0.5％重およびポリビニルアルコールをべんがら重量の1％重の割合となるように配合され、すなわちべんモリ資材10kgあたりべんがら1kg、三酸化モリブデン0.5kgおよびポリビニルアルコール10gの割合で配合されており、これを種子100kgに対して使用する。
【００５３】
方法
種子（乾籾）を15〜16℃の井戸水に3日間浸種した。浸種の積算温度は、45〜48℃であった。鉄粉2kg（乾籾の0.5倍重量）と焼石膏200g（鉄粉の0.1倍重量）は、あらかじめ混合して混合物を用意した。
【００５４】
種子4kgをコンクリートミキサー（まぜ太郎）に投入し、ミキサーを回転させた。次いで、鉄粉と焼石膏の混合物をミキサーに投入した。混合物は、3回に分けてミキサーに投入し、十分に混合されるようにした。また、背負い動噴を使用して適切に水を噴霧した。粉状の資材がなくなるまで水を噴霧しながら回転させた。全ての混合物が種子に被覆された。
【００５５】
次いで、上記鉄粉コーティング種子に対して、べんモリ資材をさらに被覆した。具体的には、上記鉄粉コーティング種子の入ったコンクリートミキサーに、400gのべんモリ資材を投入した。べんモリ資材は、3回に分けてミキサーに投入し、十分に混合されるようにした。また、背負い動噴を使用して適切に水を噴霧した。粉状の資材がなくなるまで水を噴霧しながら回転させた。全ての混合物が種子にコーティングされた。仕上がったコーティング種子を図3に示してある。また、仕上がった種子のイメージは、図1に示したとおりである。
【００５６】
次いで、モリブデンコーティングした種子を乾燥させた。図2に示したように、苗箱にモリブデンコーティングした種子を広げて乾燥させた。苗箱1つに対してどんぶり一杯程度の種子を広げた。4kgの種子は、約11、12枚程度の苗箱に広げることができた。この種子を一昼夜乾燥させた。この一昼夜の乾燥により、コーティングは実用強度に達していた。また、乾燥は、数ヶ月させてもよいと推定された。
【００５７】
（2.直播用コーティング種子の播種）
以下の手順で上記モリブデンコーティングした種子を播種した。具体的には、水を入れない状態で田んぼを耕耘し、およそ4週間後に湛水して荒代かきし、翌日に植え代をかいた。2日後に上記モリブデンコーティングした種子を播種した。
【００５８】
播種機は、クボタ製EP4-TCを使用した。田んぼに種子を播種する際には、図4に示すように土壌に溝をつけて種子を播種した。播種機は、田んぼに10mmの深さの溝ができるように機器のフロート部に部品を取り付けた。
【００５９】
田んぼには、播種機の仕様である横幅30cmの間隔で4列に各10粒の種子を播種した。播種機の進行方向には、24ｃｍの間隔で播種した。図5は、田んぼに播種する際の種子の播種間隔を示す図である。
【００６０】
播種前日に落水させ、播種機で種子を播種した。播種後は、積極的に覆土を行わず自然に任せた。種子は、1時間以内に直播した。この時間であれば、播種時に種の温度が上がって種子の品質が落ちることはなかった。田んぼに播種されれば、種子の温度が上がって種子の品質が低下して発芽率が下がることはなかった。
【００６１】
播種後、2日間湛水し、自然落水させて10日間落水管理した。この時点で図6に示すように、十分な発芽が確認された。また、従来のべんモリコーティングした種子と比較して、明らかな発芽率の上昇が見られた。
【００６２】
この後は、通常の苗による稲作と同様に管理した。その後、鉄コーティング種子の時のように倒伏しやすいということはなく、苗立ち不良を生じることはなかった。
【００６３】
（3.結果）
本発明の直播用コーティング種子によれば、直播栽培方法において土壌中播種し湛水したにもかかわらず、十分な発芽および苗立ちを確認することができた。
【００６４】
また、本発明の直播用コーティング種子を使用した直播栽培方法では、スズメなどによる鳥害は確認されなかった。一方、従来のべんモリコーティングした種子を直播した水田では、スズメなどの鳥害を受け、所々に発芽していない箇所が見られた。
【００６５】
さらに、従来のべんモリコーティングした種子を直播した水田では、湛水の際の水流による影響を受け、水源近くの種子が流されてしまった。このため、従来のべんモリコーティングした種子は、水源近くにて発芽が見られず、またその周辺にて流された種子が固まって発芽している箇所が見られた。一方、本発明の直播用コーティング種子を使用した直播栽培方法では、種子が流されなくなり、水源近くにおいても安定して発芽が見られた。
【００６６】
今回の直播栽培方法では、土壌中播種であるため、表面播種のように倒伏の問題もなかった。このため、従来の鉄コーティング種子では表面播種であった倒伏の問題が、本発明の直播用コーティング種子では解決できると考えられる。
【００６７】
さらに、今回の直播栽培方法では、従来のべんモリコーティングした種子と比較して、種子由来の病気に強いといった鉄コーティングの優れた効果も併せ持つと考えられる。
【産業上の利用可能性】
【００６８】
本発明の直播用コーティング種子は、水田等における直播栽培において好適に使用することができる。
【符号の説明】
【００６９】
1・・・コーティング種子
2・・・種子
3・・・鉄コーティング
4・・・外側コーティング
5・・・土壌
6・・・溝
【図１】
2020010623.tif 000003
【図２】
2020010623.tif 000004
【図３】
2020010623.tif 000005
【図４】
2020010623.tif 000006
【図５】
2020010623.tif 000007
【図６】
2020010623.tif 000008